(57)【要約】【課題】コネクタ同士を正確かつ円滑の接続することができるコネクタを提供する。【解決手段】電線７が組み付けられる電線ホルダー３を、ユニット５の接続部９に挿入することで、前記電線と前記接続部に設けられている圧接端子１１とがお互いに接続される構成のコネクタ１において、前記電線ホルダーが分割されて形成されており、この分割形成されている複数の分割ホルダー１３，１５同士が合体した状態で前記接続部に挿入されるように構成されている。【選択図】図５
2013012427.tif 000002
【特許請求の範囲】
【請求項１】
電線が組み付けられる電線ホルダーを、ユニットの接続部に挿入することで、前記電線と前記接続部に設けられている圧接端子とがお互いに接続される構成のコネクタにおいて、
前記電線ホルダーが分割されて形成されており、この分割形成されている複数の分割ホルダー同士が合体した状態で前記接続部に挿入されるように構成されていることを特徴とするコネクタ。
【請求項２】
請求項１に記載のコネクタにおいて、
前記ユニットが内部に制御基板を備えているか、または、前記電線ホルダーがジョイント吸収機能を備えた構成になっているか、または、前記ユニットが内部に制御基板を備え前記電線ホルダーがジョイント吸収機能を備えた構成になっていることを特徴とするコネクタ。
【請求項３】
請求項１または請求項２に記載のコネクタにおいて、
前記各分割ホルダー同士を合体するために前記各分割ホルダーに形成されている接合部を、前記電線ホルダーを前記ユニットの接続部に挿入するときにおけるこじり防止、前記電線ホルダーを前記ユニットの接続部に挿入するときにおける誤接続防止の少なくともいずれかのために使用する構成であることを特徴とするコネクタ。
【請求項４】
請求項３に記載のコネクタにおいて、
前記分割ホルダーの接合部は、前記各分割ホルダーのうちの一つの分割ホルダーの端部に形成されている凹状の接合部と、前記各分割ホルダーのうちの他の一つの分割ホルダーの端部に形成され前記凹状の接合部に挿入されて前記凹状の接合部に接合される凸状の接合部とで構成されており、
前記凹状の接合部が設けられている凹状接合部構成体が、前記こじり防止、前記誤接続防止の少なくともいずれかの機能を発揮するように構成されていることを特徴とするコネクタ。
【発明の詳細な説明】
【技術分野】
【０００１】
本発明は、コネクタに係り、特に、自動車等のコネクタとして使用されるものに関する。
【背景技術】
【０００２】
従来、図１４に示すように、お互いが隣接するコネクタ２０２，２０４の対向する側面２０６，２０８のそれぞれに係合溝部２１０、被係合溝部２１２を形成したものが知られている（たとえば特許文献１参照）。
【０００３】
係合溝部２１０には、誤連結防止突堤部２１４が突設されており、被係合溝部２１２には、誤連結防止突堤部２１６が突設されている。
【０００４】
コネクタ２０２，２０４同士が適正な連結の向きになっていれば、誤連結防止突堤部２１４と誤連結防止突堤部２１６とが係合し、かつ、係合溝部２１０と被係合溝部２１２とが係合し、コネクタ２０２，２０４同士が接合される。
【０００５】
逆に、コネクタ２０２，２０４同士が不適正な連結の向きになっていると、誤連結防止突堤部２１４と誤連結防止突堤部２１６とがお互いに干渉してコネクタ２０２，２０４同士の接合が阻止される。
【０００６】
これにより、コネクタ同士の連結作業を間違い無く円滑に行うことができる。
【０００７】
なお、図１４で示すコネクタ２０２，２０４はたとえば雌コネクタを構成しており、図１４で示す参照符号２１８，２２０は、雄コネクタ（図示せず）が挿入されて接続される複数の凹部（雄コネクタ接続部）を示している。
【先行技術文献】
【特許文献】
【０００８】
【特許文献１】特開２００１−５２７９８号公報
【発明の概要】
【発明が解決しようとする課題】
【０００９】
ところで、上記従来のコネクタでは、複数の凹部２１８，２２０のそれぞれに電線の端部に設けられている雄コネクタを複数回挿入する必要があるので、コネクタ同士の接続に時間がかかり、また、間違って雄コネクタを挿入するおそれがあるという問題がある。
【００１０】
本発明は、上記問題点に鑑みてなされたものであり、コネクタ同士を正確かつ円滑の接続することができるコネクタを提供することを目的とする。
【課題を解決するための手段】
【００１１】
請求項１に記載の発明は、電線が組み付けられる電線ホルダーを、ユニットの接続部に挿入することで、前記電線と前記接続部に設けられている圧接端子とがお互いに接続される構成のコネクタにおいて、前記電線ホルダーが分割されて形成されており、この分割形成されている複数の分割ホルダー同士が合体した状態で前記接続部に挿入されるように構成されているコネクタである。
【００１２】
請求項２に記載の発明は、請求項１に記載のコネクタにおいて、前記ユニットが内部に制御基板を備えているか、または、前記電線ホルダーがジョイント吸収機能を備えた構成になっているか、または、前記ユニットが内部に制御基板を備え前記電線ホルダーがジョイント吸収機能を備えた構成になっているコネクタである。
【００１３】
請求項３に記載の発明は、請求項１または請求項２に記載のコネクタにおいて、前記各分割ホルダー同士を合体するために前記各分割ホルダーに形成されている接合部を、前記電線ホルダーを前記ユニットの接続部に挿入するときにおけるこじり防止、前記電線ホルダーを前記ユニットの接続部に挿入するときにおける誤接続防止の少なくともいずれかのために使用する構成であるコネクタである。
【００１４】
請求項４に記載の発明は、請求項３に記載のコネクタにおいて、前記分割ホルダーの接合部は、前記各分割ホルダーのうちの一つの分割ホルダーの端部に形成されている凹状の接合部と、前記各分割ホルダーのうちの他の一つの分割ホルダーの端部に形成され前記凹状の接合部に挿入されて前記凹状の接合部に接合される凸状の接合部とで構成されており、
前記凹状の接合部が設けられている凹状接合部構成体が、前記こじり防止、前記誤接続防止の少なくともいずれかの機能を発揮するように構成されているコネクタである。
【発明の効果】
【００１５】
本発明によれば、コネクタ同士を正確かつ円滑の接続することができるコネクタを提供することができるという効果を奏する。
【図面の簡単な説明】
【００１６】
【図１】本発明の実施形態に係るコネクタの斜視図であって、制御ユニットに電線ホルダーが接続された状態を示す図である。
【図２】図１におけるＩＩ−ＩＩ断面を示す図である。
【図３】電線ホルダーを形成する第２の分割ホルダーに電線を設置する途中の状態を示す斜視図である。
【図４】電線が設置された第１の分割ホルダーと電線が設置された第２の分割ホルダーとを示す斜視図であって、第１の分割ホルダーと第２の分割ホルダーとを接合する前の状態を示す図である。
【図５】制御ユニットに電線ホルダーを接続する前の状態を示す斜視図である。
【図６】制御ユニットの分解斜視図である。
【図７】電線が設置された第１の分割ホルダーの斜視図である。
【図８】電線が設置された第２の分割ホルダーの斜視図である。
【図９】電線が設置された第１の分割ホルダーと電線が設置された第２の分割ホルダーとをお互いに接合して形成された電線ホルダーの正面図である。
【図１０】図９におけるＸ−Ｘ断面を示す図である。
【図１１】図１０におけるＸＩ矢視図である。
【図１２】図１０におけるＸＩＩ部の拡大図である。
【図１３】図４におけるＸＩＩＩ部の拡大図である。
【図１４】従来のコネクタの概略構成を示す斜視図である。
【発明を実施するための形態】
【００１７】
本発明の実施形態に係るコネクタ（一対のコネクタ）１は、図１、図２、図５等で示すように、電線ホルダー（雄コネクタ）３とユニット（たとえば制御ユニット；雌コネクタ）５と備えて構成されている。電線ホルダー３には、電線７が組み付けられるようになっている。すなわち、電線ホルダー３が電線７を保持し固定するようになっている。
【００１８】
制御ユニット５は、接続部９を備えており、電線ホルダー３が制御ユニット５の接続部９に挿入されることで、制御ユニット５に電線ホルダー３が接続されるようになっている。制御ユニット５に電線ホルダー３が接続された状態では、電線７と制御ユニット５の接続部９に設けられている圧接端子１１とがお互いに接続されている。
【００１９】
電線ホルダー３は、図４や図５等で示すように、分割されて形成されている。これらの分割形成されている複数の分割ホルダー（分割電線ホルダー；サブハーネス）１３，１５同士が合体した状態で、電線ホルダー３が制御ユニット５の接続部９に挿入されるように構成されている。
【００２０】
制御ユニット５には、図２や図６等で示すように、制御基板１７が設けられており、また、電線ホルダー３が詳しくは後述するジョイント吸収機能を備えた構成になっている。なお、制御ユニット５に制御基板１７が設けられており電線ホルダー３がジョント吸収機能を備えていない構成（電線ホルダー３が単線の電線を保持する構成）であってもよいし、または、電線ホルダー３がジョント吸収機能を備えており制御ユニット５に制御基板１７が設けられていない構成（たとえば、制御ユニット５の代わりに単なるメスコメクタを採用した構成）になっていてもよい。
【００２１】
また、コネクタ１では、各分割ホルダー１３，１５同士を合体するために各分割ホルダー１３，１５に形成されている接合部（分割ホルダー接合部；たとえば、図４参照）１９，２１が、こじり防止、誤接続防止の少なくともいずれの機能を発揮する構成になっている。
【００２２】
こじり防止とは、電線ホルダー３を制御ユニット５の接続部９に挿入するときにおけるこじり防止であり、誤接続防止とは、電線ホルダー３を制御ユニット５の接続部９に挿入するときにおける誤接続防止である。誤接続の防止によって、たとえば、電線ホルダー３を制御ユニット５に逆向きで挿入することが防止される。
【００２３】
図４等で示すように、各分割ホルダー１３，１５のうちの一つの分割ホルダーである第１の分割ホルダー１３の接合部１９は、第１の分割ホルダー１３の端部に形成されている凹状の接合部（たとえば、直方体状に形成された凹部）２３を備えて形成されている。
【００２４】
各分割ホルダー１３，１５のうちの他の一つの分割ホルダーである第２の分割ホルダー１５の接合部２１は、第２の分割ホルダー１５の端部に形成されている凸状の接合部（たとえば、直方体状に形成された凸部）２５で形成されている。
【００２５】
そして、凹状の接合部２３に凸状の接合部２５が挿入されて、各分割ホルダー１３，１５同士がお互いに接合され、電線ホルダー３が形成されるようになっている（図１０、図１２等参照）。
【００２６】
また、電線ホルダー３を制御ユニット５に接続するときに、凹状の接合部２３が設けられている凹状接合部構成体２７（図５等参照）によって、前述したこじり防止、誤接続防止の少なくともいずれかがなされるようになっている。
【００２７】
ここで、コネクタ１について例を掲げてさらに詳しく説明する。
【００２８】
説明の便宜のために、コネクタ１の幅方向を横方向とし、横方向に直交する方向であってコネクタ１から電線７が延出する方向を縦方向とし、横方向と縦方向とに直交する方向を高さ方向とする。
【００２９】
コネクタ１は、図５等で示すように、雌コネクタとしての機能を備えた制御ユニット５と、雄コネクタとしての機能を備えた電線ホルダー３とを備えて構成されている。
【００３０】
制御ユニット５は、図６等で示すように、ケース２９と矩形な平板状の制御基板１７とハウジング（制御基板・バスバー設置体）３３とバスバー３５とを備えて構成されている。
【００３１】
ケース２９とハウジング３３と電線ホルダー３とは、合成樹脂等の非導電性の材料で構成されている。制御基板１７にはスイッチ３７と回路素子と端子（図示せず）とが設けられている。バスバー３５は、金属等の導電性材料で構成されている。
【００３２】
ケース２９は、図５等で示すように、縦方向の一端部側の面が開口している矩形な枡状に形成されている。ケース２９の横方向の両端部の壁（縦方向では壁の一端部側）には、電線ホルダー３を係止するための係止孔３９が設けられている。
【００３３】
ケース２９の縦方向の一端部に形成されている開口部４１は、制御ユニット５の接続部９を形成しているとともに、縦方向からケース２９を見ると、ケース２９の「ロ」字状の壁（肉部）に囲まれて概ね矩形状に形成されている。ただし、開口部４１は、一部にたとえば小さな矩形状の突出部（電線ホルダー３の端部係合部４５，４７と電線ホルダー３の凹状接合部構成体２７が入り込む突出部）４３が形成されている。
【００３４】
すなわち、縦方向からケース２９を見ると（縦方向からケース２９を見た図面は不存在なので図５を参照のこと）、ケース２９の開口部４１は、分割ホルダー１３，１５の本体部４９，５１が入り込む大きな矩形状の部位（横方向の寸法が大きく縦方向の寸法が小さい大矩形状部位）５３と、３つの小さな矩形状の部位（小矩形状部位）５５とを備えて形成されている。３つの小矩形状部位５５はほぼ同じ形状に形成されており、これらの小矩形状部位５５に電線ホルダー３の端部係合部４５，４７と電線ホルダー３の接合部１９，２１（凹状接合部構成体２７）とが入り込むようになっている。小矩形状部位５５の高さ方向の寸法は、大矩形状部位５３の高さ方向の寸法よりも小さくなっており、小矩形状部位５５の横方向の寸法は、小矩形状部位５５の高さ方向の寸法よりも小さくなっている。
【００３５】
３つの小矩形状部位５５のうちの１つの小矩形状部位（第１の小矩形状部位）５５Ａは、大矩形状部位５３の横方向の一端部であって高さ方向の上側に位置している。３つの小矩形状部位５５のうちの他１つの小矩形状部位（第２の小矩形状部位）５５Ｂは、大矩形状部位５３の横方向の他端部であって高さ方向の上側に位置している。３つの小矩形状部位５５のうちのさらなる他の１つの小矩形状部位（第３の小矩形状部位）５５Ｃは、大矩形状部位５３の横方向の中間部であって高さ方向の上側に位置している。なお、第３の小矩形状部位５５Ｃは、横方向の中央部（中心部）を外れたところに位置しており、たとえば、横方向の一端部側に位置しており、高さ方向の上側に位置している。
【００３６】
また、ケース２９の開口部４１には小矩形状部位５３よりも横方向の寸法が大きい矩形状の部位（中矩形状部位）５７が、横方向の中央部に設けられているが、この中矩形状部位５７は、制御基板１７をケース２９に設置するときに制御基板１７のスイッチ３７が通過するためのものである。
【００３７】
ケース２９の開口部４１についてさらに説明すると、ケース２９の上側の壁の内側（下側）に、３つの矩形状の突起（直方体状の突起）５９を適宜設けることで、ケース２９の開口部４１が上述した形状（１つの大矩形状部位５３と３つの小矩形状部位５５と１つの中矩形状部位５７とを備えた形状）になっている。
【００３８】
ハウジング３３は、図６等で示すように、矩形な平板を２箇所で折り曲げて「コ」字状（縦方向から見て「コ」字状）に形成されている。「コ」字状のハウジング３３は、矩形状な平板状の底板部６１と矩形状な平板状の一対の側板部６３とを備えている。底板部６１の上面であって縦方向の一端部側には、バスバー３５が設置される複数のバスバー設置部６５が、横方向に所定の間隔をあけてならんで設けられている。
【００３９】
バスバー３５は、バスバー本体部６７と圧接接続部（圧接端子）１１と端子接続部６９とを備えて構成されている。また、バスバー３５は複数設けられており、各バスバー設置部６５のそれぞれに各バスバー３５のそれぞれが設置されるようになっている（図２等参照）。バスバー設置部６５に設置された各バスバー３５のそれぞれは、お互いが僅かに離れており非導通状態になっている。
【００４０】
制御基板１７と、バスバー３５が設置されたハウジング３３をケース２９の開口部４１から挿入してケース２９の内部に設置すると、ケース２９とハウジング３３と制御基板１７とバスバー３５とが一体化された制御ユニット５が生成されるようになっている。
【００４１】
制御ユニット５では、図２等で示すように、各バスバー３５の端子接続部６９のそれぞれが、制御基板１７に設けられている複数の端子（図示せず）のそれぞれに電気的にバネ接続されている。すなわち、バスバー３５の端子接続部６９は弾性を備えており、制御ユニット５では、バスバー３５の端子接続部６９が制御基板１７の端子を押圧している。また、制御ユニット５では、図５等で示すように、バスバー３５の圧接接続部１１が、ケース２９の開口部４１の近傍に位置している。各バスバー３５の端子接続部６９は、開口部４１に近いケース２９の内側で、横方向に所定の間隔をあけてならんでいる。
【００４２】
電線ホルダー３は、図４や図１０等で示すように、第１の分割ホルダー（第１の電線ホルダー構成体）１３と第２の分割ホルダー（第２の電線ホルダー構成体）１５とに分割されている。なお、電線ホルダー３が３つ以上の分割ホルダーに分割される構成であってもよいが、ここでは、電線ホルダー３が２つの分割ホルダー１３、１５に分割されている場合を説明する。
【００４３】
第１の分割ホルダー１３は、図７等で示すように、第１の分割ホルダー本体部４９と電線保持部７１と端部係合部４５と接合部１９と係止爪７３（図９等参照）とを備えて構成されている。電線保持部７１は第１の分割ホルダー本体部４９に単数もしくは複数設けられており、電線保持部７１が複数設けられている場合、各電線保持部７１は横方向で所定の間隔（制御ユニット５のバスバー３５の間隔と同じ間隔）をあけてならんでいる。
【００４４】
第１の分割ホルダー１３の端部係合部４５は、第１の分割ホルダー本体部４９の横方向の一端部に形成されており、第１の分割ホルダー１３の接合部１９は、第１の分割ホルダー本体部４９の横方向の他端部に形成されている。第１の分割ホルダー１３の係止爪（制御ユニット５のケース２９の係止孔３９に係止される係止爪）７３は、第１の分割ホルダー１３の端部係合部４５から、横方向の一端部側に突出して設けられている。
【００４５】
さらに説明すると、第１の分割ホルダー本体部４９は、横方向に長い直方体状に形成されている。電線保持部７１は、図２等で示すように、第１の分割ホルダー本体部４９に形成された「Ｕ」字状の溝（横方向から見たときに「Ｕ」字状に見える溝）で構成されており、この「Ｕ」字状の溝内に電線７が「Ｕ」字状になって入り込み、電線保持部７１で電線７が保持されるようになっている。なお、電線保持部７１で電線７を保持した状態では、折り返されている電線７の部位（「Ｕ」字の下部を構成している部位）が縦方向の他端部側に位置している。また、電線保持部７１で電線７を保持した状態では、電線保持部７１から延出している電線７の部位は、縦方向の一端部側に延出している。
【００４６】
図２等では、電線ホルダー３（分割ホルダー１３，１５）の右側に一対の電線が延出しているが、これらの一対の電線７はさらに右方向に延びており、この延びている先は被覆体で覆われている。これにより、電線ホルダー３（分割ホルダー１３，１５）が詳しくは後述するジョイント吸収機能を備えていることになる。
【００４７】
なお、図２等で示すように延出している一対の電線７のうちの一方の電線（たとえば上側の電線）が切断されており、他方の電線（たとえば上側の電線）のみが、さらに延びている構成であってもよい。この延びている単線の電線の先は被覆体で覆われている。
【００４８】
第１の分割ホルダー１３の端部係合部４５は、図７等で示すように、直方体状に形成されている。第１の分割ホルダー１３の端部係合部４５の横方向の寸法は、電線保持部７１のピッチとほぼ等しいか僅かに大きくなっている。第１の分割ホルダー１３の端部係合部４５の縦方向の寸法は、第１の分割ホルダー本体部４９の縦方向の寸法とほぼ等しくなっており、第１の分割ホルダー１３の端部係合部４５の高さ方向の寸法は、第１の分割ホルダー本体部４９の高さ方向の寸法よりも僅かに大きくなっている。
【００４９】
また、第１の分割ホルダー１３の端部係合部４５は、この縦方向の両端が縦方向で第１の分割ホルダー本体部４９の縦方向の両端と一致し、高さ方向の下端が高さ方向で第１の分割ホルダー本体部４９の下端と一致して、第１の分割ホルダー本体部４９に設けられている。
【００５０】
第１の分割ホルダー１３の接合部１９は、第１の分割ホルダー１３の接合部本体部（凹状接合部構成体）２７と直方体状の切り欠き７５と直方体状の凹部２３とを備えて構成されている。第１の分割ホルダー１３の接合部本体部２７の外形は、第１の分割ホルダー１３の端部係合部４５と同様な直方体状に形成されている。そして、第１の分割ホルダー１３の接合部本体部２７は、この縦方向の両端が縦方向で第１の分割ホルダー本体部４９の縦方向の両端と一致し、高さ方向の下端が高さ方向で第１の分割ホルダー本体部４９の下端と一致するようにして、第１の分割ホルダー本体部４９に設けられている。
【００５１】
第１の分割ホルダー１３の接合部１９の直方体状の切り欠き７５の縦方向の寸法は、第１の分割ホルダー１３の接合部本体部２７の縦方向の寸法と等しくなっており、切り欠き７５の横方向の寸法は、第１の分割ホルダー１３の接合部本体部２７の横方向の寸法よりも小さくなっており、切り欠き７５の高さ方向の寸法は、第１の分割ホルダー１３の接合部本体部２７の高さ方向の寸法よりも小さくなっている。
【００５２】
そして、第１の分割ホルダー１３の接合部１９の直方体状の切り欠き７５は、この縦方向の両端が縦方向で第１の分割ホルダー１３の接合部本体部２７の縦方向の両端と一致し、高さ方向の下端が高さ方向で第１の分割ホルダー１３の接合部本体部２７の下端と一致し、横方向の他端が横方向で第１の分割ホルダー１３の接合部本体部２７の他端と一致するようにして、第１の分割ホルダー１３の接合部本体部２７に設けられている。
【００５３】
第１の分割ホルダー１３の接合部１９の直方体状の凹部２３の縦方向の寸法は、第１の分割ホルダー１３の接合部本体部２７の縦方向の寸法よりも小さくなっており、凹部２３の横方向の寸法は、第１の分割ホルダー１３の接合部本体部２７の横方向の寸法よりも小さくなっており、さらに、第１の分割ホルダー１３の接合部１９の直方体状の切り欠き７５の横方向の寸法と直方体状の凹部２３の横方向の寸法との和が、第１の分割ホルダー１３の接合部本体部２７の横方向の寸法よりも小さくなっている。第１の分割ホルダー１３の接合部１９の直方体状の凹部２３の高さ方向の寸法は、第１の分割ホルダー１３の接合部本体部２７の高さ方向の寸法よりも小さく、第１の分割ホルダー１３の接合部１９の直方体状の切り欠き７５の寸法よりも大きくなっている。
【００５４】
そして、第１の分割ホルダー１３の接合部１９の直方体状の凹部２３は、縦方向では第１の分割ホルダー１３の接合部本体部２７の中央に位置し、高さ方向の下端が高さ方向で第１の分割ホルダー１３の接合部本体部２７の下端と一致し、横方向の他端が横方向で第１の分割ホルダー１３の接合部１９の直方体状の切り欠き７５の一端にくっついて、第１の分割ホルダー１３の接合部本体部２７に設けられている。
【００５５】
また、第１の分割ホルダー本体部４９には、電線７が設置（保持）された電線ホルダー３が制御ユニット５に差し込まれて設置されたときに、バスバー３５（圧接接続部１１）が入り込むスリット７７が形成されている（図２や図１０等参照）。そして、電線ホルダー３を制御ユニット５に差し込むときに、バスバー３５の圧接接続部１１がスリット７７でガイドされて移動し圧接接続部１１が電線（電線保持部７１に保持されている電線）３に圧接されるようになっている。
【００５６】
第２の分割ホルダー１５は、図８等で示すように、接合部２１を除いて、第１の分割ホルダー１３と同様に構成されている。
【００５７】
すなわち、第２の分割ホルダー１５は、第２の分割ホルダー本体部５１と電線保持部７１と端部係合部４７と接合部２１と係止爪７３（図４等参照）とを備えて構成されている。電線保持部７１は第２の分割ホルダー本体部５１に複数設けられており、第２の分割ホルダー１５における電線保持部７１の数は、第１の分割ホルダー１３における電線保持部７１の数よりも多くなっている。
【００５８】
第２の分割ホルダー１５の端部係合部４７は、第２の分割ホルダー本体部５１の横方向の他端部に形成されており、第２の分割ホルダー１５の接合部２１は、第２の分割ホルダー本体部５１の横方向の一端部に形成されている。第２の分割ホルダー１３の係止爪（制御ユニット５のケース２９の係止孔３９に係止される係止爪）７３は、第２の分割ホルダー１３の端部係合部４７から、横方向の一端部側に突出して設けられている。
【００５９】
なお、第２の分割ホルダー１３の電線保持部７１で電線７を保持した状態では、電線保持部７１から延出している電線７の部位は、第１の分割ホルダー１３の場合と同様にして縦方向の一端部側に延出している。
【００６０】
第２の分割ホルダー１３の接合部２１は、直方体状の凸部２５を備えて構成されている。第２の分割ホルダー１３の直方体状の凸部２５の外形は、第１の分割ホルダー１３の直方体状の凹部２３とほぼ同じ形状に形成されている。
【００６１】
そして、第２の分割ホルダー１３の直方体状の凸部２５は、縦方向で第２の分割ホルダー本体部５１の中央部に、高さ方向で下端が第２の分割ホルダー本体部５１の下端と一致して、第２の分割ホルダー本体部５１に設けられている。
【００６２】
ここで、分割ホルダー１３，１５への電線７の設置と分割ホルダー１３，１５同士の接合について説明する。
【００６３】
まず、図３で示すように、分割ホルダー１５（１３）の電線保持部７１に、被覆がされていない電線７を配置し、この配置された電線７を「Ｕ」字状に折り曲げる。これにより、図４で示すように、分割ホルダー１５（１３）への電線７の設置が終了する。なお、電線７の外径は、分割ホルダー１３，１５の本体部４９，５１に形成されている電線保持部７１の幅（「Ｕ」字状の溝の横方向の寸法）よりも、たとえばごく僅かに大きくなっており、これにより、一旦設置された電線７は、分割ホルダー１３，１５からは容易には離れないようになっている。
【００６４】
電線７が設置された各分割ホルダー１３，１５の各接合部１９，２１同士を係合して、第１の分割ホルダー１３と第２の分割ホルダー１５とを接合し一体化する。すなわち、図４に矢印で示すうように、第２の分割ホルダー１５に対して第１の分割ホルダー１３を相対的に移動し、第１の分割ホルダー１３の凹部２３に第２の分割ホルダー１５の凸部２５を挿入し、各分割ホルダー１３，１５を一体化する。なお、第１の分割ホルダー１３の凹部２３の幅（縦方向の寸法）は、第２の分割ホルダー１３の凸部２５の幅（縦方向の寸法）よりもたとえばごく僅かに小さくなっている。これにより、一旦接合された各分割ホルダー１３，１５は、容易には離れないようになっている。
【００６５】
なお、上記説明では、各分割ホルダー１３，１５に電線７を設置した後、各分割ホルダー１３，１５同士をお互いに接合しているが、各分割ホルダー１３，１５同士をお互いに接合した後、電線７を設置してもよい。
【００６６】
各分割ホルダー１３，１５を接合することで形成された電線ホルダー３では、各電線７のピッチ（横方向での電線７の設置間隔）が一定であってお互いに等しくなっている。上記ピッチは、接合部１９，２１のところでも同じ値になっている。すなわち、図１０、図１２で示すピッチＰ１とピッチＰ２とはお互い等しくなっている。
【００６７】
次に、電線７が設置された電線ホルダー３の制御ユニット５への設置について説明する。
【００６８】
図５で示すように、電線ホルダー３が縦方向の一端部側で制御ユニット５から離れている状態で、矢印で示すように、制御ユニット５に対して電線ホルダー３を相対的に近づけ、電線ホルダー３を制御ユニット５内に所定の深さ挿入する。
【００６９】
この挿入により、電線ホルダー３の係止爪７３が制御ユニット５の係止孔３９に入り込み、電線ホルダー３と制御ユニット５とが一体化され、電線ホルダー３が制御ユニット５から容易には外れないようになっている。また、上記挿入により各バスバー３５の圧接接続部１１のそれぞれが、電線ホルダー３が保持している各電線７のそれぞれに圧接されるようになっている。
【００７０】
また、上記挿入より、電線ホルダー３の端部係合部４５，４７と接合部１９，２１とが、制御ユニット５の開口部４１の小矩形状部位５５に入り込むようになっている。
【００７１】
ここで、ジョイント吸収機能について説明する。ジョイント吸収機能とは、たとえば、特開平２−４６６７１号公報の図７で示されているジョント８（特開平２−４６６７１号公報における参照符号）の機能を、特開平２−４６６７１号公報に図１等で示すように、中間ジョイント端子２６（特開平２−４６６７１号公報における参照符号）に持たせたものである。
【００７２】
すなわち、電線ホルダー３で保持している電線７の総てもしくは一部において、電線７が１つの電線保持部７１から２本延伸していることで、特開平２−４６６７１号公報の図７で示されているジョント８の機能を電線ホルダーが備えていることになる。
【００７３】
コネクタ１によれば、電線ホルダー３が分割されて形成されており、この分割形成されている複数の分割ホルダー１３，１５同士が合体した状態で制御ユニット５の接続部９に挿入されるので、制御ユニット５と電線ホルダー３とを正確かつ円滑の接続することができる。
【００７４】
すなわち、電線ホルダー３が分割ホルダー１３，１５に分割されているので、分割ホルダー１３，１５毎に電線（ワイヤーハーネス）７を電線保持部７１に設置することができ、作業を円滑に行うことができる。たとえば、第１の分割ホルダー１３には、ジョイント吸収機能を持たせ、第２の分割ホルダー１５には、単線（特開平２−４６６７１号公報の図２に参照符号１４１，１４２で示す単線）を接続するようにすれば、分割ホルダー１３，１５毎にカテゴリーの異なる電線をまとめて設置することができ、電線ホルダー３への電線７の設置作業を正確にかつ効率良く円滑に行うことができる。
【００７５】
また、電線ホルダー３に電線７を設置した後、１回の挿入動作で、制御ユニット５に電線ホルダー３の各電線７が設置されるので、制御ユニット５への電線７の接続を従来よりも早く行うことができる。
【００７６】
また、コネクタ１によれば、制御ユニット５の内部に制御基板１７が設けられており、また、電線ホルダー３がジョイント吸収機能を備えていることで、コネクタ１が簡素な構成で多機能化されている。これにより、ジョント吸収機能や制御基板１７の設置スペースが不要となり、コネクタ１とこの関連機器との設置スペースを小さくすることができる。
【００７７】
また、コネクタ１によれば、接合部１９，２１が、電線ホルダー３を制御ユニット５の接続部９に挿入して接続するときにおけるこじり防止、電線ホルダー３を制御ユニット５の接続部９に挿入して接続するときにおける誤接続防止の少なくともいずれかのために使用する構成になっているので、接合部１９，２１が各分割ホルダー１３，１５同士を接合する機能と、こじり防止機能や誤接続防止機能とを兼ね備えていることになり、コネクタ１の構成が簡素化されている。
【００７８】
なお、電線ホルダー３にて接合部１９，２１が横方向の中央部から外れて設けられており、制御ユニット５の接続部９における小矩形状部位（電線ホルダー３の接合部１９，２１が入り込む小矩形状部位）５５Ｃが、制御ユニット５にて横方向の中央部から外れて設けられていることで、制御ユニット５への電線ホルダー３の誤接続が防止されるようになっている。
【００７９】
また、電線ホルダー３の接合部１９，２１における第１の分割ホルダー１３の凹状接合部構成体２７が、第１の分割ホルダー１３の本体部４９から横方向の寸法が小さいリブのようにして突出しており、電線ホルダー３を制御ユニット５に接続するとき、凹状接合部構成体２７が制御ユニット５の接続部９における小矩形状部位５５Ｃに係合してガイドされるので、制御ユニット５へ電線ホルダー３を接続するとき、電線ホルダー３の姿勢が安定し、こじりの発生を防止することができる。
【００８０】
また、コネクタ１によれば、分割ホルダー１３，１５の接合部１９，２１が、第１の分割ホルダー１３の端部に形成されている凹状の接合部２３と、第２の分割ホルダー１５の端部に形成されている凸状の接合部２５とで構成されているので、図１０で示すピッチＰ１とピッチＰ２とはお互い等しくすることができ、接合部１９，２１をまたいでも、電線７が設置されているピッチが従来よりも小さくなっており、電線ホルダー３（コネクタ１）が従来のものよりも小型化されている。
【符号の説明】
【００８１】
１  コネクタ
３  電線ホルダー
５  制御ユニット
７  電線
９  接続部
１１  圧接接続部（圧接端子）
１３  第１の分割ホルダー
１５  第２の分割ホルダー
１７  制御基板
１９  第１の分割ホルダーの接合部
２１  第２の分割ホルダーの接合部
２３  直方体状の凹部（凹状の接合部）
２５  直方体状の凸部（凸状の接合部）
２７  接続部本体部（凹状接合部構成体）
【図１】
2013012427.tif 000003
【図２】
2013012427.tif 000004
【図３】
2013012427.tif 000005
【図４】
2013012427.tif 000006
【図５】
2013012427.tif 000007
【図６】
2013012427.tif 000008
【図７】
2013012427.tif 000009
【図８】
2013012427.tif 000010
【図９】
2013012427.tif 000011
【図１０】
2013012427.tif 000012
【図１１】
2013012427.tif 000013
【図１２】
2013012427.tif 000014
【図１３】
2013012427.tif 000015
【図１４】
2013012427.tif 000016